(57)【要約】【課題】読取った画像データの変換先のファイル形式に応じて、画像処理コマンドの付加を許可することにより、効果的な処理負荷の分散を図り、ユーザの利便性を向上させる画像処理システム、画像処理装置及び画像処理方法を提供する。【解決手段】画像処理コマンドに応じた画像処理を実行可能なコンピュータ７０が接続された画像処理装置（ＭＦＰ）１０は、読取った画像データへの画像処理コマンドの付加が許可されるファイル形式を不揮発性メモリ１８に記憶し、前記決定したファイル形式が不揮発性メモリ１８に記憶されているか否かをＣＰＵ１２で判定し、前記決定したファイル形式が不揮発性メモリ１８に記憶されていると判定した場合、ＣＰＵ１２は、読取った画像データへの画像処理コマンドの付加を許可する。【選択図】        図１
2004320255.tif 000002
【特許請求の範囲】
【請求項１】
画像データに画像処理コマンドを付加する付加手段を有し、原稿の画像データを読取り、読取った画像データを、複数ファイル形式の中から決定したファイル形式に変換する画像処理装置と、該画像処理装置から前記決定したファイル形式に変換された画像データを受付け、受付けた画像データに画像処理コマンドが付加されている場合は、付加されている画像処理コマンドに応じた画像処理を前記受付けた画像データに行う画像受付装置とを備えた画像処理システムにおいて、
前記画像処理装置は、
読取った画像データへの画像処理コマンドの付加が許可されるファイル形式を記憶する記憶部と、
前記決定したファイル形式が記憶部に記憶されているか否かを判定する判定手段と
を備え、該判定手段が前記決定したファイル形式は記憶部に記憶されていると判定した場合、読取った画像データへの前記付加手段による画像処理コマンドの付加を許可するように構成されていることを特徴とする画像処理システム。
【請求項２】
画像データに画像処理コマンドを付加する付加手段を備え、原稿の画像データを読取り、読取った画像データを、複数ファイル形式の中から決定したファイル形式に変換する画像処理装置において、
読取った画像データへの画像処理コマンドの付加が許可されるファイル形式を記憶する記憶部と、
前記決定したファイル形式が記憶部に記憶されているか否かを判定する判定手段と
を備え、該判定手段が前記決定したファイル形式は記憶部に記憶されていると判定した場合、読取った画像データへの前記付加手段による画像処理コマンドの付加を許可するように構成されていることを特徴とする画像処理装置。
【請求項３】
前記決定したファイル形式に変換された画像データを送信する送信手段を備えることを特徴とする請求項２記載の画像処理装置。
【請求項４】
前記送信手段は、前記決定したファイル形式に変換された画像データが付加された電子メールを送信するように構成されていることを特徴とする請求項３記載の画像処理装置。
【請求項５】
読取った画像データへの画像処理コマンドの付加が許可されるファイル形式は、画像データの送信先が画像処理コマンドの実行に対応しているファイル形式であることを特徴とする請求項３又は４記載の画像処理装置。
【請求項６】
読取った画像データへの画像処理コマンドの付加が許可されるファイル形式は、ＰＤＦ（Ｐｏｒｔａｂｌｅ  Ｄｏｃｕｍｅｎｔ  Ｆｏｒｍａｔ）であることを特徴とする請求項２乃至５の何れかひとつに記載の画像処理装置。
【請求項７】
負荷状態に応じて、読取った画像データに画像処理コマンドを付加するか否かを決定する決定手段を備え、
前記判定手段は、決定手段が画像処理コマンドを付加すると決定した場合に、前記決定したファイル形式が記憶部に記憶されているか否かの判定を行うように構成されていることを特徴とする請求項２乃至６の何れかひとつに記載の画像処理装置。
【請求項８】
画像データに画像処理コマンドを付加する付加手段を備え、原稿の画像データを読取り、読取った画像データを、複数ファイル形式の中から決定したファイル形式に変換する画像処理装置において、
読取った画像データへの画像処理コマンドの付加が禁止されるファイル形式を記憶する記憶部と、
前記決定したファイル形式が記憶部に記憶されているか否かを判定する判定手段と
を備え、該判定手段が前記決定したファイル形式は記憶部に記憶されていると判定した場合、読取った画像データへの前記付加手段による画像処理コマンドの付加を禁止するように構成されていることを特徴とする画像処理装置。
【請求項９】
読取った画像データへの画像処理コマンドの付加が禁止されるファイル形式は、ＴＩＦＦ（Ｔａｇｇｅｄ  Ｉｍａｇｅ  Ｆｉｌｅ  Ｆｏｒｍａｔ）であることを特徴とする請求項８記載の画像処理装置。
【請求項１０】
画像データに画像処理コマンドを付加する付加手段及び該付加手段の制御を含む画像処理制御を行う制御部を備える画像処理装置により、原稿の画像データを読取り、読取った画像データを、複数ファイル形式の中から決定したファイル形式に変換する画像処理方法において、
前記画像処理装置に、画像データへの画像処理コマンドの付加が許可されるファイル形式を記憶する記憶部を設け、
前記決定したファイル形式が記憶部に記憶されているか否かを前記制御部で判定し、
前記決定したファイル形式が記憶部に記憶されていると判定した場合、前記制御部は、読取った画像データへの前記付加手段による画像処理コマンドの付加を許可することを特徴とする画像処理方法。
【請求項１１】
画像データに画像処理コマンドを付加する付加手段及び該付加手段の制御を含む画像処理制御を行う制御部を備える画像処理装置により、原稿の画像データを読取り、読取った画像データを、複数ファイル形式の中から決定したファイル形式に変換する画像処理方法において、
前記画像処理装置に、画像データへの画像処理コマンドの付加が禁止されるファイル形式を記憶する記憶部を設け、
前記決定したファイル形式が記憶部に記憶されているか否かを前記制御部で判定し、
前記決定したファイル形式が記憶部に記憶されていると判定した場合、前記制御部は、読取った画像データへの前記付加手段による画像処理コマンドの付加を禁止することを特徴とする画像処理方法。
【発明の詳細な説明】
【０００１】
【発明の属する技術分野】
本発明は、イメージスキャナなどで読取った画像データを、コンピュータなどの画像受付装置へ送信するＭＦＰ等の画像処理装置、該画像処理装置を備えた画像処理システム及び画像処理方法に関する。
【０００２】
【従来の技術】
イメージスキャナなどの画像読取装置を備えたＭＦＰなどの画像処理装置で読取った画像データを、コンピュータなどの情報処理装置（画像受取装置）に送信して使用する場合、縦原稿又は横原稿と画像読取時の載置方向との組合せによっては、正しく表示するために、読取った画像データを回転させる必要が生じる場合がある。この場合、読取った画像データを画像処理装置からコンピュータに送信し、ユーザの操作により、コンピュータ側で画像データを回転させる方法（以下、ユーザ側で処理する方法）がある。また、読取った画像データの回転処理を画像処理装置側で行ない、回転処理済みの画像データをコンピュータに送信する方法（以下、画像処理装置側で処理する方法）もある。
【０００３】
他の方法として、画像処理装置で読取った画像データに回転を指示するコマンド（画像処理コマンド）を付加し、前記コマンドを処理することが可能なコンピュータに送信し、前記コマンドで指示された回転処理を前記コンピュータで行なうことにより、ユーザが操作することなく回転処理を行う方法（以下、コマンドで処理する方法）もある（例えば、特許文献１参照）。
【０００４】
【特許文献１】
特開平２−２５７２８６号公報
【０００５】
【発明が解決しようとする課題】
上述したユーザ側で処理する方法は、画像処理装置側の負荷は最小限で済むが、ユーザ側の負担が大きく、ユーザの利便性が低下するという問題がある。また、上述した画像処理装置側で処理する方法は、ユーザ側の負担は最小限で済むが、画像処理装置側の負荷が大きく、画像処理装置の処理速度が低下するなどの悪影響が生じるという問題がある。
【０００６】
上述したコマンドで処理する方法は、画像処理装置側の負荷は少なく、ユーザ側の操作も必要無いが、画像処理装置から画像データを受取る全てのコンピュータに、回転等のコマンドを処理できるアプリケーションが導入されているとは限らず、コマンドが処理できない場合は、ユーザの操作によって画像データを回転させる必要が生じるという問題がある。また、回転等のコマンドは全てのファイル形式に対応しているわけではなく、コマンドに対応していないファイル形式で画像データを送信する場合、上述したコマンドで処理する方法は使用できないという問題がある。
【０００７】
本発明は斯かる事情に鑑みてなされたものであり、読取った画像データの変換先のファイル形式に応じて、画像処理コマンドの付加を許可することにより、効果的な処理負荷の分散を図り、ユーザの利便性を向上させる画像処理システム、画像処理装置及び画像処理方法を提供することを目的とする。
【０００８】
また、本発明は、読取った画像データの変換先のファイル形式に応じて、画像処理コマンドの付加を禁止することにより、効果的な処理負荷の分散を図り、ユーザの利便性を向上させる画像処理装置及び画像処理方法を提供することを他の目的とする。
【０００９】
また、本発明は、負荷状態に応じて、画像処理コマンドを使用するか否かを決定することにより、効果的な処理負荷の分散を図り、ユーザの利便性を向上させる画像処理装置を提供することを他の目的とする。
【００１０】
【課題を解決するための手段】
本発明に係る画像処理システムは、画像データに画像処理コマンドを付加する付加手段を有し、原稿の画像データを読取り、読取った画像データを、複数ファイル形式の中から決定したファイル形式に変換する画像処理装置と、該画像処理装置から前記決定したファイル形式に変換された画像データを受付け、受付けた画像データに画像処理コマンドが付加されている場合は、付加されている画像処理コマンドに応じた画像処理を前記受付けた画像データに行う画像受付装置とを備えた画像処理システムにおいて、前記画像処理装置は、読取った画像データへの画像処理コマンドの付加が許可されるファイル形式を記憶する記憶部と、前記決定したファイル形式が記憶部に記憶されているか否かを判定する判定手段とを備え、該判定手段が前記決定したファイル形式は記憶部に記憶されていると判定した場合、読取った画像データへの前記付加手段による画像処理コマンドの付加を許可するように構成されていることを特徴とする。
【００１１】
本発明に係る画像処理装置は、画像データに画像処理コマンドを付加する付加手段を備え、原稿の画像データを読取り、読取った画像データを、複数ファイル形式の中から決定したファイル形式に変換する画像処理装置において、読取った画像データへの画像処理コマンドの付加が許可されるファイル形式を記憶する記憶部と、前記決定したファイル形式が記憶部に記憶されているか否かを判定する判定手段とを備え、該判定手段が前記決定したファイル形式は記憶部に記憶されていると判定した場合、読取った画像データへの前記付加手段による画像処理コマンドの付加を許可するように構成されていることを特徴とする。
【００１２】
本発明に係る画像処理装置は、前記決定したファイル形式に変換された画像データを送信する送信手段を備えることを特徴とする。
【００１３】
本発明に係る画像処理装置は、前記送信手段は、前記決定したファイル形式に変換された画像データが付加された電子メールを送信するように構成されていることを特徴とする。
【００１４】
本発明に係る画像処理装置は、読取った画像データへの画像処理コマンドの付加が許可されるファイル形式は、画像データの送信先が画像処理コマンドの実行に対応しているファイル形式であることを特徴とする。
【００１５】
本発明に係る画像処理装置は、読取った画像データへの画像処理コマンドの付加が許可されるファイル形式は、ＰＤＦ（Ｐｏｒｔａｂｌｅ  Ｄｏｃｕｍｅｎｔ  Ｆｏｒｍａｔ）であることを特徴とする。
【００１６】
本発明に係る画像処理装置は、負荷状態に応じて、読取った画像データに画像処理コマンドを付加するか否かを決定する決定手段を備え、前記判定手段は、決定手段が画像処理コマンドを付加すると決定した場合に、前記決定したファイル形式が記憶部に記憶されているか否かの判定を行うように構成されていることを特徴とする。
【００１７】
本発明に係る画像処理装置は、画像データに画像処理コマンドを付加する付加手段を備え、原稿の画像データを読取り、読取った画像データを、複数ファイル形式の中から決定したファイル形式に変換する画像処理装置において、読取った画像データへの画像処理コマンドの付加が禁止されるファイル形式を記憶する記憶部と、前記決定したファイル形式が記憶部に記憶されているか否かを判定する判定手段とを備え、該判定手段が前記決定したファイル形式は記憶部に記憶されていると判定した場合、読取った画像データへの前記付加手段による画像処理コマンドの付加を禁止するように構成されていることを特徴とする。
【００１８】
本発明に係る画像処理装置は、読取った画像データへの画像処理コマンドの付加が禁止されるファイル形式は、ＴＩＦＦ（Ｔａｇｇｅｄ  Ｉｍａｇｅ  Ｆｉｌｅ  Ｆｏｒｍａｔ）であることを特徴とする。
【００１９】
本発明に係る画像処理方法は、画像データに画像処理コマンドを付加する付加手段及び該付加手段の制御を含む画像処理制御を行う制御部を備える画像処理装置により、原稿の画像データを読取り、読取った画像データを、複数ファイル形式の中から決定したファイル形式に変換する画像処理方法において、前記画像処理装置に、画像データへの画像処理コマンドの付加が許可されるファイル形式を記憶する記憶部を設け、前記決定したファイル形式が記憶部に記憶されているか否かを前記制御部で判定し、前記決定したファイル形式が記憶部に記憶されていると判定した場合、前記制御部は、読取った画像データへの前記付加手段による画像処理コマンドの付加を許可することを特徴とする。
【００２０】
本発明に係る画像処理方法は、画像データに画像処理コマンドを付加する付加手段及び該付加手段の制御を含む画像処理制御を行う制御部を備える画像処理装置により、原稿の画像データを読取り、読取った画像データを、複数ファイル形式の中から決定したファイル形式に変換する画像処理方法において、前記画像処理装置に、画像データへの画像処理コマンドの付加が禁止されるファイル形式を記憶する記憶部を設け、前記決定したファイル形式が記憶部に記憶されているか否かを前記制御部で判定し、前記決定したファイル形式が記憶部に記憶されていると判定した場合、前記制御部は、読取った画像データへの前記付加手段による画像処理コマンドの付加を禁止することを特徴とする。
【００２１】
本発明においては、画像データへの画像処理コマンドの付加が許可されるファイル形式が記憶部に記憶されている。読取った画像データの変換先のファイル形式を決定し、決定したファイル形式が記憶部に記憶されているか否かを判定手段で判定し、記憶されている場合は、前記読取った画像データへの画像処理コマンドの付加を許可する。前記決定したファイル形式に変換された画像データは、例えば電子メールに添付する又はファイル転送するなどして、送信手段から送信する。画像データへの画像処理コマンドの付加が許可されるファイル形式は、画像データに付加された画像処理コマンドに応じた画像処理を、画像データの送信先側で実行することが可能なファイル形式であり、例えばＰＤＦ（Ｐｏｒｔａｂｌｅ  Ｄｏｃｕｍｅｎｔ  Ｆｏｒｍａｔ）がある。例えば、読取った画像データの送信先が、ＰＤＦに対応しており、ＰＤＦに付加された画像処理コマンドに応じた画像処理を実行可能な場合は、画像処理コマンドの付加を許可するファイル形式として、ＰＤＦを記憶部に記憶しておく。送信先の各ファイル形式への対応状況に応じて、画像処理コマンドの付加を許可することにより、送信先が対応できない画像処理コマンドを付加することを防止し、画像処理装置と送信先との間で効果的な処理負荷の分散を図ることが可能である。
【００２２】
本発明においては、画像データへの画像処理コマンドの付加を禁止するファイル形式が記憶部に記憶されている。読取った画像データの変換先のファイル形式を決定し、決定したファイル形式が記憶部に記憶されているか否かを判定手段で判定し、記憶されている場合は、前記読取った画像データへの画像処理コマンドの付加を禁止する。前記決定したファイル形式に変換された画像データは、例えば電子メールに添付する又はファイル転送するなどして、送信手段から送信する。画像データへの画像処理コマンドの付加を禁止するファイル形式は、画像データに付加された画像処理コマンドに応じた画像処理を、画像データの送信先側で実行できないファイル形式であり、例えばＴＩＦＦ（Ｔａｇｇｅｄ  Ｉｍａｇｅ  Ｆｉｌｅ  Ｆｏｒｍａｔ）がある。送信先の各ファイル形式への対応状況に応じて、画像処理コマンドの付加を禁止することにより、送信先が対応できない画像処理コマンドを付加することを防止し、画像処理装置と送信先との間で効果的な処理負荷の分散を図ることが可能である。
【００２３】
本発明においては、画像処理の負荷状態に応じて、決定手段で画像処理コマンドを使用するか否かを決定する。例えば、画像データが記憶される画像メモリの空き容量、画像処理に必要な処理時間、又は、処理待ちのジョブ量に基づいて、画像処理コマンドを使用するか否かを決定する。決定手段が画像処理コマンドを使用すると決定した場合、前記決定したファイル形式が記憶部に記憶されているか否かを前記判定手段で判定する。例えば、通常は、画像処理装置側で画像処理を行い、画像メモリの空き容量が所定値以下になるなど画像処理装置側が高負荷の場合は、画像処理コマンドの付加が許可されている又は禁止されていないファイル形式については、画像処理コマンドを付加した画像データを画像処理装置から送信し、画像処理コマンドに応じた画像処理を送信先側で行うことが可能である。画像処理装置の負荷状態に応じて、画像処理装置と送信先との間で効果的な処理負荷の分散を図ることが可能である。
【００２４】
【発明の実施の形態】
以下、本発明をその実施の形態を示す図面に基づいて具体的に説明する。
図１は本発明に係る画像処理装置（ＭＦＰ：Ｍｕｌｔｉ  Ｆｕｎｃｔｉｏｎ  Ｐｅｒｉｐｈｅｒａｌ）１０を備えた画像処理システムの例を示すブロック図である。また、図２は、画像処理装置（ＭＦＰ）１０の一部を拡大したブロック図である。ＭＦＰ１０は、原稿の画像データを読取るスキャナ部５０と、画像データを印刷するプリンタ部４０と、スキャナ部５０及びプリンタ部４０の制御及び画像処理を行うコントロール部３０とを備える。
【００２５】
スキャナ部５０は、ＣＣＤ（Ｃｈａｒｇｅ  Ｃｏｕｐｌｅｄ  Ｄｅｖｉｃｅ）６０などを有する画像読取部５４、及び、原稿の走査などを含んだ読取制御を行うスキャナ制御部５２などを備える。画像読取部５４の詳細を説明すると、ＣＣＤ６０は、図２に示すように、アナログサンプリング回路６４及びＡＤ変換器６６を介して画像メモリ３４に接続されている。また、ＣＣＤ６０、アナログサンプリング回路６４及びＡＤ変換器６６は、ＣＣＤ系制御ＩＣ６２で制御される。プリンタ部は、図１に示すように、ＬＳＵ（Ｌａｓｅｒ  Ｓｃａｎｎｉｎｇ  Ｕｎｉｔ）４４、及び、記録紙の給紙などを含んだ印刷制御を行うプリンタ制御部４２などを備える。
【００２６】
コントロール部３０は、ＬＳＵ４４を制御するレーザ制御ＩＣ４６、画像読取部５４から受取った画像データを記憶する画像メモリ３４、画像データに対して、ガンマ補正、色数の変換、解像度変換等を行う画像処理ＩＣ３２、画像データの回転処理を行う回転ＩＣ３６、データの圧縮／伸長を行う圧縮伸長ＩＣ３８、ＮＩＣ（Ｎｅｔｗｏｒｋ  Ｉｎｔｅｒｆａｃｅ  Ｃａｒｄ）２０、ハードディスクコントローラ２２、及び、ＣＰＵ１２を備え、夫々は共通のバスに接続されている。
【００２７】
また、ハードディスクコントローラ２２にはハードディスク２４が接続され、ＣＰＵ１２にはＲＯＭ１４、ＲＡＭ１６、不揮発性メモリ１８、操作部２６、ＬＣＤ（Ｌｉｑｕｉｄ  Ｃｒｙｓｔａｌ  Ｄｉｓｐｌａｙ）２８、スキャナ制御部５２及びプリンタ制御部４２が接続され、ＮＩＣ２０にはコンピュータ７０などの外部装置が接続されている。
【００２８】
ＭＦＰ１０は、ＣＰＵ１２の制御により、画像読取部５４で読取った画像データを画像メモリ３４に記憶してプリンタ部４０から出力したり、ＮＩＣ２０がコンピュータ７０又は外部のファクシミリ装置から受付けた画像データを画像メモリ３４に記憶して、設定に応じて、画像メモリ３４上で画像処理ＩＣ３２により、前記画像に対してガンマ補正、色数の変換、解像度変換等を行った後、プリンタ部４０から出力したり、画像読取部５４で読取った画像データを画像メモリ３４に記憶して、設定に応じて、画像メモリ３４上で画像処理ＩＣ３２により、前記画像に対してガンマ補正、色数の変換、解像度変換等を行った後、ＮＩＣ２０からコンピュータ７０又は外部のファクシミリ装置に送信することなどが可能である。
【００２９】
画像読取部５４で読取った画像データをＮＩＣ（送信手段）２０からコンピュータ（画像受付装置）７０に送信する場合、ＣＰＵ１２は、読取った画像データを、複数ファイル形式の中から決定したファイル形式に変換して送信する。ファイル形式は、操作部２６から受付けたり、不揮発性メモリ１８に記憶されている設定に基づいて決定することが可能である。変換された画像データの送信は、例えば画像データが添付された電子メールをＣＰＵ１２で作成し、作成した電子メールをＮＩＣ２０から送信先のコンピュータ７０に送信することが可能である。送信先は、操作部２６から受付けることが可能である。
【００３０】
不揮発性メモリ１８は、画像データへのコマンド（画像処理コマンド）の付加が許可されるファイル形式を記憶する記憶部として動作する。画像データへの画像処理コマンドの付加が許可されるファイル形式は、画像データに付加されたコマンドに応じた画像処理を、画像データを受取ったコンピュータ７０側で実行することが可能なファイル形式である。画像データへの画像処理コマンドの付加が許可されるファイル形式として、例えばＰＤＦ（Ｐｏｒｔａｂｌｅ  Ｄｏｃｕｍｅｎｔ  Ｆｏｒｍａｔ）がある。
【００３１】
不揮発性メモリ１８には、画像読取に関する読取設定、送信するファイルに関するファイル設定、画像処理に関する処理設定などを含む設定情報が記憶されている。読取設定は、画像の解像度（例えばｄｐｉ：ｄｏｔｓ  ｐｅｒ  ｉｎｃｈ）、画像の向き（縦又は横）、画像の色数（例えばカラー、グレースケール又は白黒）などの設定を含む。ファイル設定は、ファイル形式（例えばＰＤＦ又はＴＩＦＦ）、圧縮の有無などの設定を含む。処理設定は、優先事項（例えば時間優先又は実行優先）、ファイル形式毎のコマンド（画像処理コマンド）の許可又は禁止などの設定を含む。
【００３２】
本説明では、設定情報に含まれる処理設定に、送信先及びファイル形式毎に、コマンドの付加を許可するか否かを設定するものとする。また、本説明では、コマンドとして、画像データを回転する回転コマンドを例にして説明を行う。画像データへのコマンドの付加はＣＰＵ（付加手段）１２が行う。送信先及びファイル形式は、不揮発性メモリ１８に記憶されている送信先リスト及びファイル形式リストから操作部２６で選択することが可能である。
【００３３】
設定情報の登録、変更又は削除などは、操作部２６から受付けることが可能である。ＣＰＵ１２は、操作部２６から受付けた設定内容に応じて、不揮発性メモリ１８に記憶されている各種設定（設定情報）の更新を行う。図３は、回転コマンドの付加が許可されるファイル形式を送信先毎に設定する設定画面の例を示す図である。図３の例では、ＰＤＦに回転コマンドの付加が許可されるように設定されている。回転コマンドの付加が許可されるファイル形式の設定は、ＣＰＵ１２の制御により、設定情報に含まれる処理設定に登録される。
【００３４】
ＣＰＵ１２は、画像データが記憶される画像メモリ３４の空き容量、画像データの回転処理時間、又は、処理待ちのジョブ数などの負荷状態に応じて、コマンドを使用するか否かを決定する手段（決定手段）として動作する。例えば、画像メモリ３４の空き容量が少ないなどの高負荷の状態では、コマンドを付加して送信先（コンピュータ７０）側で回転処理を行う方が、処理効率は向上する可能性が高い。
【００３５】
ＣＰＵ１２は、設定情報に含まれるファイル設定又は操作部２６で受付けた設定などに基づいて、変換先のファイル形式を決定し、また、負荷状況などに基づいてコマンドを使用すると決定した際は、決定したファイル形式が記憶部に記憶（設定情報に含まれる処理設定に登録）されているか否かを判定する手段（判定手段）として動作し、決定したファイル形式へのコマンドの付加が許可されている場合は、画像データに画像処理コマンドを付加する。
【００３６】
ＣＰＵ１２は、ＲＯＭ１４に記憶されているプログラムを読出して実行することにより、上述した各手段として動作したり、ＭＦＰ１０の各種制御を行う。また、コンピュータ７０は、ＭＦＰ１０から受付けた画像データにコマンドが付加されている場合は、付加されたコマンドに対応する画像処理を、前記受付けた画像データに実行する。
【００３７】
次に、本発明に係る画像処理装置を用いた画像処理方法について説明する。図４及び図５は、画像処理手順の例を示すフローチャートである。
ＣＰＵ１２は、画像データの読取及び送信に関する各種設定（例えば設定情報、送信先、ファイル形式）を操作部２６から受付けたり、不揮発性メモリ１８から読出して（Ｓ１０）、ＲＡＭ１６に記憶する。ＣＰＵ１２は、スキャナ制御部５２を制御して画像読取部５４から原稿１ページ分の画像データを読取り（Ｓ１２）、読取った画像データを画像メモリ３４に記憶して、読取設定に応じて、画像メモリ３４上で画像処理ＩＣ３２により、前記画像に対してガンマ補正、色数の変換、解像度変換等を行う。また、読取った画像データが１ページ目の場合、ＣＰＵ１２は、ＲＡＭ１６に記憶してある各種設定で決定されるファイル形式に基づいて、ハードディスク２４に一時ファイルを作成（記憶）する（Ｓ１４）。
【００３８】
ＣＰＵ１２は、画像データの回転が必要であるか否かを判定する（Ｓ１６）。例えば、ＣＰＵ１２は、ＲＡＭ１６に記憶してある各種設定の読取設定に含まれる画像の向き（縦又は横）と、スキャナ制御部５２から受取ってＲＡＭ１６に記憶してある原稿の走査方向（縦方向又は横方向）とを比較し、異なる場合は画像データの回転が必要と判定する。
【００３９】
図６は原稿の走査方向の例を示す図である。スキャナ部５０は、読取を行う原稿の長さ（走査方向のサイズ）及び幅（走査方向に垂直な方向のサイズ）を検出するサイズセンサ（図示せず）を備え、ＣＰＵ１２は、原稿の長さ及び幅の検出結果をスキャナ部５０から受付けて、図６（ａ）に示すように走査方向が縦方向であるか、図６（ｂ）に示すように横方向であるかを識別する。ＲＡＭ１６に記憶してある各種設定の画像の向きの設定（読取設定）が縦の場合、ＣＰＵ１２は、図６（ａ）に示すように走査方向が縦方向であれば回転は不要と判定し、図６（ｂ）に示すように走査方向が横方向であれば回転が必要と判定する。
【００４０】
回転処理が必要な場合（Ｓ１６：ＹＥＳ）、ＣＰＵ１２は、回転処理が可能であるか否かを判定する。例えば、ＣＰＵ１２は、画像メモリ３４の空き容量を確認し、空き容量が所定値以上の場合は、画像処理が可能であると判定する。回転処理が可能と判定した場合（Ｓ１８：ＹＥＳ）、ＣＰＵ１２は、回転処理を実行するか否かを決定する。例えば、ＣＰＵ１２は、ＲＡＭ１６に記憶してある各種設定の処理設定に含まれる優先事項（例えば時間優先又は実行優先）を参照し、実行優先の場合は回転処理の実行を決定する。
【００４１】
回転処理を実行する場合（Ｓ２０：ＹＥＳ）、ＣＰＵ１２は、読取った画像データに関するページ情報を一時ファイルに追記（Ｓ２２）し、画像メモリ３４に記憶されている画像データの回転処理を回転ＩＣ３６に実行させる（Ｓ２４）。
【００４２】
回転処理が可能でない場合（Ｓ１８：ＮＯ）又は回転処理を実行しない場合（Ｓ２０：ＮＯ）、ＣＰＵ１２は、回転コマンドの使用が可能であるか否かを判定する。例えば、ＣＰＵ１２は、ＲＡＭ１６に記憶してある各種設定で決定されるファイル形式及び送信先と、ＲＡＭ１６に記憶してある各種設定の処理設定に含まれるコマンドの許可又は禁止の設定とに基づいて、コマンドが使用可能であるか否かを判定する。
【００４３】
回転コマンドが使用可能な場合（Ｓ２６：ＹＥＳ）、ＣＰＵ１２は、読取った画像データに関するページ情報を一時ファイルに追記（Ｓ２８）し、また、一時ファイルに回転コマンドを追記する（Ｓ３０）。回転コマンドが使用できない場合（Ｓ２６：ＮＯ）、ＣＰＵ１２は、読取った画像データに関するページ情報を一時ファイルに追記する（Ｓ３２）。
【００４４】
画像の回転が必要でない場合（Ｓ１６：ＮＯ）、ＣＰＵ１２は、読取った画像データに関するページ情報を一時ファイルに追記（Ｓ５０）する。画像の回転処理を行った場合（Ｓ２４）、一時ファイルに回転コマンドを追記した場合（Ｓ３０）、又は、一時ファイルにページ情報を追記した場合（Ｓ３２、Ｓ５０）、ＣＰＵ１２により、圧縮処理が必要であるか否かを判定する。例えば、ＣＰＵ１２は、ＲＡＭ１６に記憶してある各種設定のファイル設定に含まれる圧縮の有無を参照し、圧縮が必要か否かを判定する。
【００４５】
ＣＰＵ１２は、圧縮が必要な場合（図５のＳ３４：ＹＥＳ）は、圧縮伸長ＩＣ３８に圧縮処理を実行させ、圧縮した画像データ（Ｓ３６）又は非圧縮の画像データ（Ｓ３４：ＮＯ）を一時ファイルに追加（ハードディスク２４に記憶）する（Ｓ３８）。読取原稿が最終ページに達していない場合（Ｓ４０：ＮＯ）、上述した手順と同様に、スキャナ部５０で１ページ分の画像を読取り（Ｓ４６）、Ｓ１６からの処理を行う。最終ページに達している場合（Ｓ４０：ＹＥＳ）、ＣＰＵ１２により、前記決定したファイル形式の送信ファイルを作成（Ｓ４２）してハードディスク２４に記憶し、送信ファイルを添付した電子メールを作成してハードディスク２４に記憶し、ＮＩＣ２０から送信する（Ｓ４４）。
【００４６】
上述した実施の形態においては、画像処理コマンドの付加を許可するファイル形式を設定したが、画像処理コマンドの付加を禁止するファイル形式を設定することも可能である。この場合、不揮発性メモリ１８は、画像データへのコマンド（画像処理コマンド）の付加を禁止するファイル形式を記憶する記憶部として動作する。
【００４７】
画像データへの画像処理コマンドの付加を禁止するファイル形式として、例えばＴＩＦＦ（Ｔａｇｇｅｄ  Ｉｍａｇｅ  Ｆｉｌｅ  Ｆｏｒｍａｔ）がある。この場合、設定情報に含まれる処理設定には、送信先及びファイル形式毎に、コマンドの付加を禁止するか否かが設定される。図７は、回転コマンドを禁止するファイル形式を送信先毎に設定する設定画面の例を示す図である。図７の例では、ＴＩＦＦ及びコマンドに対応していないファイル形式（図中のＸＸＸ）に回転コマンドを禁止するように設定されている。ＣＰＵ１２は、変換先のファイル形式を設定情報又は操作部２６で受付けた設定に基づいて決定し、決定したファイル形式へのコマンドの付加が禁止されている場合は、画像データへの画像処理コマンドの付加を禁止する。
【００４８】
【発明の効果】
本発明によれば、送信先の各ファイル形式への対応状況に応じて、画像処理コマンドの付加を許可するか否かを設定することができ、送信先が対応していない画像処理コマンドを付加することを防止することが可能である。画像処理コマンドへの対応状況に応じて、画像処理コマンドの付加を許可することにより、画像処理装置と送信先との間で効果的な処理負荷の分散を図ることが可能である。
【００４９】
本発明によれば、送信先の各ファイル形式への対応状況に応じて、画像処理コマンドの付加を禁止するか否かを設定することができ、送信先が対応していない画像処理コマンドを付加することを防止することが可能である。画像処理コマンドへの対応状況に応じて、画像処理コマンドの付加を禁止することにより、画像処理装置と送信先との間で効果的な処理負荷の分散を図ることが可能である。
【００５０】
本発明によれば、画像処理装置の負荷状態に応じて、画像処理コマンドを使用するか否かを決定することにより、画像処理装置と送信先との間で効果的な処理負荷の分散を図ることが可能である。例えば、通常は画像処理装置側で画像処理を行い、画像処理装置側の負荷が高くなった場合は、画像処理コマンドの付加が許可されている送信先に対しては画像処理コマンドを使用して、送信先側で画像処理を実行させることが可能である。
【図面の簡単な説明】
【図１】本発明に係る画像処理装置（ＭＦＰ）を備えた画像処理システムの例を示すブロック図である。
【図２】図１に示す画像処理装置（ＭＦＰ）の一部を拡大したブロック図である。
【図３】回転コマンドの付加が許可されるファイル形式を送信先毎に設定する設定画面の例を示す図である。
【図４】画像処理手順の例を示すフローチャートである。
【図５】画像処理手順の例を示すフローチャートである。
【図６】原稿の走査方向の例を示す図である。
【図７】回転コマンドの付加が禁止されるファイル形式を送信先毎に設定する設定画面の例を示す図である。
【符号の説明】
１０  ＭＦＰ（画像処理装置）
１２  ＣＰＵ
１８  不揮発性メモリ
２６  操作部
２０  ＮＩＣ
２４  ハードディスク
３０  コントロール部
３２  画像処理ＩＣ
３４  画像メモリ
３６  回転ＩＣ
３８  圧縮伸長ＩＣ
４０  プリンタ部
５０  スキャナ部
６０  ＣＣＤ
７０  コンピュータ
【図１】
2004320255.tif 000003
【図２】
2004320255.tif 000004
【図３】
2004320255.tif 000005
【図４】
2004320255.tif 000006
【図５】
2004320255.tif 000007
【図６】
2004320255.tif 000008
【図７】
2004320255.tif 000009